(57)【要約】【課題】給水圧が変動しても吐水温度が大きく変動することのない湯水混合弁を提供する。【解決手段】水側弁部２６，湯側弁部２８，それらを連繋する連繋部３０を備えた弁体２４と、各弁部に対応した水側弁座４０，湯側弁座４２とを有し、弁体２４の軸方向の移動により水流入通路２０及び湯流入通路２２の開度を変化させることによって水，湯の流入比率を変化させ且つ流入した水，湯を混合室３６に流入させて混合を行う形式の湯水混合弁１０において、流入した水の内部通路３４となる水側弁部２６と湯側弁部２８との間の位置において連繋部３０に回転する羽根車６０を設ける。【選択図】        図１
2006118545.tif 000002
【特許請求の範囲】
【請求項１】
(a)軸方向に離隔して設けた水側弁部と湯側弁部及びそれらを軸方向に連繋する連繋部を備えた弁体と、(b)それら水側弁部，湯側弁部の間において該水側弁部，湯側弁部に各対応して設けられ、該水側弁部，湯側弁部をそれぞれ当接させる水側弁座，湯側弁座とを有し、該弁体の軸方向の一方の移動により水流入通路の開度を小さく、湯流入通路の開度を大きく変化させ、また該弁体の逆方向の移動により該湯流入通路の開度を小さく、水流入通路の開度を大きく変化させることによって水，湯の流入比率を変化させ、且つ流入した水，湯をそれぞれ前記湯側弁部に対して前記水側弁部とは反対側に形成した混合室に流入させた上で混合水を吐水部に向けて流出させる形式の湯水混合弁において
前記流入した水の内部通路となる前記水側弁部と湯側弁部との間の位置において前記連繋部に抵抗体を設けたことを特徴とする湯水混合弁。
【請求項２】
請求項１において、前記抵抗体は水の軸方向の流れに対して捩れを有するフィン状の羽根を有していることを特徴とする湯水混合弁。
【請求項３】
請求項２において、前記抵抗体を、水の流れによって前記連繋部の軸心周りに回転可能な回転抵抗体となしたことを特徴とする湯水混合弁。
【請求項４】
(a)水側弁部と湯側弁部を備えた弁体と、(b)それら水側弁部，湯側弁部に対応して設けられた水側弁座，湯側弁座とを有し、弁体の軸方向の一方の移動により水流入通路の開度を小さく、湯流入通路の開度を大きく変化させ、また該弁体の逆方向の移動により該湯流入通路の開度を小さく、水流入通路の開度を大きく変化させることによって水，湯の流入比率を変化させ、且つ流入した水，湯を混合室で混合状態として吐水部に向けて流出させる形式の湯水混合弁において
前記弁体に、流入した水の流れに基づいて回転する回転抵抗体を設けたことを特徴とする湯水混合弁。
【請求項５】
請求項１〜４の何れかにおいて、前記湯水混合弁が、前記混合室に混合水温度に感応して前記弁体の位置調節を自動的に行う感温体を備えてなる自動温度調節機能付のものであることを特徴とする湯水混合弁。
【発明の詳細な説明】
【技術分野】
【０００１】
この発明は湯水混合弁に関し、特に混合室に感温体を備えた自動温度調節機能つきのものに適用して好適な湯水混合弁に関する。
【背景技術】
【０００２】
従来、湯水混合弁として混合室に感温体を備えてなる自動温度調節機能付のものが広く用いられている。
この自動温度調節機能付の湯水混合弁として次のようなもの、即ち(a)軸方向に離隔して設けた水側弁部と湯側弁部及びそれらを軸方向に連繋する連繋部を備えた弁体と、(b)それら水側弁部，湯側弁部の間において水側弁部，湯側弁部に各対応して設けられ、水側弁部，湯側弁部をそれぞれ当接させる水側弁座，湯側弁座とを有し、弁体の軸方向の一方の移動により水流入通路の開度を小さく、湯流入通路の開度を大きく変化させ、また弁体の逆方向の移動により湯流入通路の開度を小さく、水流入通路の開度を大きく変化させることにより水，湯の流入比率を変化させ、且つ流入した水，湯をそれぞれ湯側弁体に対して水側弁体とは反対側に形成した混合室に流入させて混合を行った上で吐水部に向けて流出させる形式の湯水混合弁が公知である。
【０００３】
例えば下記特許文献１にこの種形式の自動温度調節機能付の湯水混合弁が開示されている。
図７はその具体例を示している。
同図において２００，２０２は弁ケース２０４に形成された水流入通路，湯流入通路であり、２０６は軸方向に離隔して設けられた水側弁部２０８，湯側弁部２１０及びそれらを軸方向に連繋する連繋部２１２を備えた弁体である。
弁ケース２０４には、これら水側弁部２０８，湯側弁部２１０の間の位置において、水側弁部２０８，湯側弁部２１０に各対応して水側弁座２１４，湯側弁座２１６が設けられており、それらに対し水側弁部２０８，湯側弁部２１０がそれぞれ当接するようになっている。
【０００４】
弁体２０６は、第１バイアスばね２１８，第２バイアスばね２２０にて図中左向き、即ち水側弁部２０８を閉弁させる方向に付勢されており、また混合室２２２内に設けられた形状記憶合金から成る感温ばね２２４によりこれとは反対方向の図中右向き、即ち湯側弁部２１０を閉弁させる方向に付勢されている。
【０００５】
尚、弁体２０６の連繋部２１２は断面形状が概略十字状をなしており、中心部から放射方向に延び出した板状部２２６と２２６との間に、水の内部通路２２８が軸方向に形成されている。
水流入通路２００を通じて流入した水は、この内部通路２２８を通じて図中左向きに流れ、混合室２２２へと到る。
【０００６】
尚、湯流入通路２０２を通じて内部に流入した湯は、混合室２２２へと図中左向きに流れ、その混合室で水と湯とが混合された上で、その混合水が吐水部に向けて左方向に流出する。
【０００７】
２３０は回転操作軸で、この回転操作軸を回転操作することで第１バイアスばね２１８及び第２バイアスばね２２０の付勢力が強く又は弱く変更され、これにより弁体２０６の図中左右方向の位置、詳しくは第１バイアスばね２１８，第２バイアスばね２２０と感温ばね２２４との付勢力の釣合い位置が左右方向にシフトせしめられる。即ち湯水混合弁における混合水の温度が所望温度に設定されないしは設定変更される。
【０００８】
この湯水混合弁では、弁体２０６が図中左向きに一杯まで移動して水側弁部２０８が水側弁座２１４に当接することで、水流入通路２００が全閉、湯流入通路２０２が全開となり、また逆方向に一杯まで移動して湯側弁部２１０が湯側弁座２１６に当接することで、湯流入通路２０２が全閉，水流入通路２００が全開状態となる。
【０００９】
またそれらの中間位置において水流入通路２００及び湯流入通路２０２を開き且つその開度を変化させて水，湯の流入量を変化させる。
具体的には、湯側弁部２１０が全閉、水側弁部２０８が全開状態の下で回転操作軸２３０を回転（正方向回転）操作すると、第１バイアスばね２１８，第２バイアスばね２２０の付勢力が強まって弁体２０６が図中左方向にシフトさせられる。
そしてそのシフトした状態において第１バイアスばね２１８，第２バイアスばね２２０による左向きの付勢力と、感温ばね２２４による右向きの付勢力とが釣合った状態となり、その状態で水流入通路２００及び湯流入通路２０２から流入する水と湯の混合水温度が変動すると、これに伴って感温ばね２２４が付勢力を増減させて弁体２０６を左右方向に微動させる。これにより混合水温度が設定温度に維持される。
【００１０】
また一方回転操作軸２３０を逆方向に回転操作すると、第１バイアスばね２１８及び第２バイアスばね２２０の付勢力が低下し、これにより弁体２０６が図中右向きにシフトさせられる。そしてそのシフト位置において感温ばね２２４の温度感知に基づく付勢力の増減によって混合水温度が調節される。
【００１１】
ところでこの種の自動温度調節機能付の湯水混合弁にあっては、給水圧や給湯圧の変動により温度調節が影響を受ける問題があり、特に水流入通路２００を通じ流入する水の給水圧が水栓の設置場所その他によって変動すると、回転操作軸２３０により混合水温度を例えば４０℃に設定しておいても、実際の吐水温度が４０℃に対し低くなったり高くなったりするといった問題を生じていた。
【００１２】
具体的には、給水圧が高くなると水流入通路２００を通じ流入する水の勢いが強く且つ多量となって通常は実際の吐水温度が低くなり、また逆に給水圧が低くなると水の流入の勢いが弱く且つ少量となって実際の吐水温度が高温側に変動してしまう。
その理由として混合室２２２における水と湯との混合が必ずしも十分に行われておらず、感温体２２４が水と湯との混合比率の変化に対して必ずしも適正に追従ないし感応していないことが考えられる。
【００１３】
以上は感温ばね２２４等の感温体を有する自動温度調節機能付の湯水混合弁の例であるが、給水圧等が変動することにより水と湯の混合比率が変化し、実際の吐水温度が低温側又は高温側に変動したり或いは水と湯の混合が十分に行われないなどの問題点については、上記のような感温体を有しない、即ち自動温度調節機能を有しない湯水混合弁においても同様に生じ得る問題である。
【００１４】
またこのような現象は、上記のように水と湯とが何れも同じ方向に流れて混合室で混合された上、吐水部に向けて流出する形式の湯水混合弁において特に生じ易い問題であるが、他の一般の湯水混合弁（自動温度調節機能付であると否とを問わず）においても大なり小なり生ずる湯水混合弁特有の問題であり、その解決が望まれている。
【００１５】
【特許文献１】特開２００１−４０５０号公報
【発明の開示】
【発明が解決しようとする課題】
【００１６】
この発明は以上のような事情を背景とし、給水圧の変動にも拘わらず吐水温度が変動するのを良好に抑制ないし防止することのできる湯水混合弁を提供することを目的としてなされたものである。
【課題を解決するための手段】
【００１７】
而して請求項１のものは、(a)軸方向に離隔して設けた水側弁部と湯側弁部及びそれらを軸方向に連繋する連繋部を備えた弁体と、(b)それら水側弁部，湯側弁部の間において該水側弁部，湯側弁部に各対応して設けられ、該水側弁部，湯側弁部をそれぞれ当接させる水側弁座，湯側弁座とを有し、該弁体の軸方向の一方の移動により水流入通路の開度を小さく、湯流入通路の開度を大きく変化させ、また該弁体の逆方向の移動により該湯流入通路の開度を小さく、水流入通路の開度を大きく変化させることによって水，湯の流入比率を変化させ、且つ流入した水，湯をそれぞれ前記湯側弁部に対して前記水側弁部とは反対側に形成した混合室に流入させた上で混合水を吐水部に向けて流出させる形式の湯水混合弁において、前記流入した水の内部通路となる前記水側弁部と湯側弁部との間の位置において前記連繋部に抵抗体を設けたことを特徴とする。
【００１８】
請求項２のものは、請求項１において、前記抵抗体は水の軸方向の流れに対して捩れを有するフィン状の羽根を有していることを特徴とする。
【００１９】
請求項３のものは、請求項２において、前記抵抗体を、水の流れによって前記連繋部の軸心周りに回転可能な回転抵抗体となしたことを特徴とする。
【００２０】
請求項４のものは、(a)水側弁部と湯側弁部を備えた弁体と、(b)それら水側弁部，湯側弁部に対応して設けられた水側弁座，湯側弁座とを有し、弁体の軸方向の一方の移動により水流入通路の開度を小さく、湯流入通路の開度を大きく変化させ、また該弁体の逆方向の移動により該湯流入通路の開度を小さく、水流入通路の開度を大きく変化させることによって水，湯の流入比率を変化させ、且つ流入した水，湯を混合室で混合状態として吐水部に向けて流出させる形式の湯水混合弁において、前記弁体に、流入した水の流れに基づいて回転する回転抵抗体を設けたことを特徴とする。
【００２１】
請求項５のものは、請求項１〜４の何れかにおいて、前記湯水混合弁が、前記混合室に混合水温度に感応して前記弁体の位置調節を自動的に行う感温体を備えてなる自動温度調節機能付のものであることを特徴とする。
【発明の作用・効果】
【００２２】
以上のように請求項１のものは、弁体が軸方向に離隔した水側弁部及び湯側弁部とを有する形態をなし、水流入通路から流入した水と湯流入通路から流入した湯とが、混合室に向けて同じ方向に流通する形式の湯水混合弁において、流入した水の通路となる水側弁部と湯側弁部との間の位置において弁体の連繋部に抵抗体を設けたものであり、これにより給水圧の変更にも拘わらず実際の吐水温度が変動するのが良好に抑制ないし防止できることが確認された。
【００２３】
その理由は、感温体にて弁体を位置調節する自動温度調節機能付の湯水混合弁にあっては、水の内部通路における水の流れに対する抵抗体の抵抗作用によって弁体が自動的に水流入通路を狭める方向に移動すること、或いは抵抗体によって内部通路の水の流れがかき乱され、その結果として混合室における水と湯との混合が迅速且つ良好に行われること等によるものと考えられる。
また感温体による弁体の自動的位置調節機能、即ち自動温度調節機能を有しない単なる水湯混合弁においても、給水圧が増大したときに抵抗体によって水の流入の勢い及び流入量が抑制され、更にはまた抵抗体による内部通路の水のかき乱し作用によって、吐水温度が給水圧の変動に応じて変動してしまうのが抑制ないし防止されるものと考えられる。
【００２４】
上記抵抗体は水の軸方向の流れに対して捩れを有するフィン状の羽根を有するものとなしておくことができる（請求項２）。
このようにしておくことで水と湯との混合がより良好に行われる。
【００２５】
この抵抗体はまた、水の流れによって連繋部の軸心周りに回転可能な回転抵抗体となしておくことができる（請求項３）。
このようにしておけば、抵抗体による水と湯との混合を更に促進することができる利点が得られる。
【００２６】
詳しくは、通路を軸方向に流れる水の流れを回転体の回転によって旋回流となすことができ、このことによって水と湯との混合をより促進することができる。
【００２７】
抵抗体をこのような回転抵抗体となしておいた場合、次のような利点も得られる。
抵抗体を固定抵抗体として設けておいた場合、場合によって給水圧の増大によって吐水温度が急激に変化してしまうことがある。
その一つの理由として、給水圧の増大により抵抗体による抵抗作用が強く働き過ぎて、水流入通路が急激に絞られてしまうことが考えられる。
【００２８】
これに対して抵抗体を回転抵抗体となしておいた場合、抵抗体の回転作用により水流の勢いの急激な変化を良好に吸収し、弁体に対して急激な力が作用するのを回避し得、このことが吐水温度の急激な変化を抑制できる理由であると考えられる。
【００２９】
次に請求項４は、水側弁部と湯側弁部とを備えた弁体を有する湯水混合弁において、その弁体に、流入した水の流れに基づいて回転する回転抵抗体を設けたもので、この請求項４の湯水混合弁では、その回転抵抗体の抵抗或いは回転作用に基づいて給水圧増大時における水の流入量増大を抑制し或いは水と湯とを迅速且つ良好に混合状態とし得て、吐水温度の変動を抑制することができる。
【００３０】
本発明は、上記の説明から明らかなように特に混合室に混合水温度に感応して弁体の位置調節を自動的に行う感温体を設けてなる自動温度調節機能付のものに適用して特に効果の大なるものである（請求項５）。
【発明を実施するための最良の形態】
【００３１】
次に本発明の実施形態を図面に基づいて詳しく説明する。
図１において、１０は本実施形態の自動温度調節機能付の湯水混合弁で、弁ケース１２と軸ケース１４とを有しており、それらが互いにねじ結合されている。
【００３２】
軸ケース１４には回転操作軸１６が組み付けられている。
この回転操作軸１６は、後述の弁体２４を軸方向即ち図中左右方向に移動させて混合水温度を設定操作するためのもので、セレーション部１８において図示しないハンドルに一体回転状態に連繋されるようになっている。
【００３３】
一方弁ケース１２には、軸方向に互いに離隔した位置に水流入通路２０，湯流入通路２２が弁ケース１２を内外に貫通する状態で形成されており、これら水流入通路２０，湯流入通路２２を通じて水，湯が弁ケース１２内部に流入するようになっている。
【００３４】
弁ケース１２の内部には、図２にも示しているように弁体２４が図中左右方向に移動可能に設けられている。
弁体２４は軸方向に離隔して設けられた水側弁部２６と湯側弁部２８及びそれらを軸方向に連繋する連繋部３０とを有している。但しこの実施形態では連繋部３０が湯側弁部２８と一体に成形され、水側弁部２６に対しては嵌合状態で組み付けられている。
【００３５】
ここで連繋部３０は図４に示しているように断面形状が概略十字形状をなしており、中心部から放射方向に延び出した板状部３２と３２との間において、水流入通路２０を通じて内部に流入した水を軸方向に流通させる内部通路３４が形成されている。
【００３６】
即ち水流入通路２０を通じ流入した水は、この内部通路３４を図中左向きに軸方向に流れて混合室３６へと到る。
一方湯流入通路２２を通じ内部に流入した湯は、流入した水と同じ方向に流れて混合室３６へと至り、そこで水と湯とが混合された上、混合水が流出部３８から吐水部に向けて流出する。
【００３７】
弁ケース１２には、水側弁部２６，湯側弁部２８の間の位置においてそれらに各対応した水側弁座４０，湯側弁座４２が設けられており、それらに対し水側弁部２６，湯側弁部２８がそれぞれ当接するようになっている。
【００３８】
上記弁体２４は第１バイアスばね４４，第２バイアスばね４６にて図中左向き、即ち水側弁部２６を閉弁させる方向に付勢されており、また混合室３６内に設けられた形状記憶合金から成る感温ばね（感温体）４８によりこれとは反対方向の図中右向き、即ち湯側弁部２８を閉弁させる方向に付勢されている。
【００３９】
上記回転操作軸１６には、円筒状を成す駆動部材４９がねじ結合されており、回転操作軸１６を正方向に回転操作すると、駆動部材４９がねじ送り作用で図中左向きに前進させられ、これによりストッパリング５０を介して第１バイアスばね４４及び第２バイアスばね４６が圧縮せしめられて、弁体２４に対する図中左向きの付勢力を増大させる。
また回転操作軸１６を逆方向に回転操作すると駆動部材４９が図中右向きに後退移動させられて、第１バイアスばね４４及び第２バイアスばね４６が伸びる方向に変位し、弁体２４に対する図中左向きの付勢力を弱くする。
【００４０】
この実施形態の湯水混合弁１０では、このようにして回転操作軸１６を正方向又は逆方向に回転操作することで、弁体２４が第１バイアスばね４４及び第２バイアスばね４６の図中左向きの付勢力と感温ばね４８による図中右向きの付勢力とが釣り合う位置に左右方向にシフトせしめられる。即ち湯水混合弁１０における混合水の温度が設定され或いは設定変更される。
【００４１】
尚図１及び図３において、５４は混合室３６を形成するとともに感温ばね４８の一端を当接させる第１ばね受であり、また５６，５８はそれぞれ第１バイアスばね４４，第２バイアスばね４６の各一端を当接させる第２ばね受及び第３ばね受、５２は弁体２４から延び出した弁軸である。
【００４２】
この湯水混合弁１０では弁体２４が図中左向きに一杯まで移動して水側弁部２６が水側弁座４０に当接することで水流入通路２０が全閉，湯流入通路２２が全開となり、弁体２４が逆方向に一杯まで移動して湯側弁部２８が湯側弁座４２に当接することで湯流入通路２２が全閉，水流入通路２０が全開状態となる。
【００４３】
またそれらの中間位置において水流入通路２０及び湯流入通路２２を開き且つその開度を感温ばね４８の温度感知に基づいて自動的に変化させ、水，湯の流入量を変化させて混合水温度を自動的に設定温度に調節する。
【００４４】
この実施形態の湯水混合弁１０では、弁体２４の水側弁部２６と湯側弁部２８との間において連繋部３０に羽根車６０が回転可能に組み込まれている。
図５はその羽根車６０の構造を、また図４は羽根車６０及び周辺部の構造を具体的に示したものである。
【００４５】
これらの図に示しているように羽根車６０は、円筒部６２とその外周面から軸直角方向に突出する形態で設けられられたフィン状の複数の羽根６４とを有している。ここで各羽根６４は、円筒部６２の外周面に沿って周方向に所定間隔ごとに設けられている。
【００４６】
またこれら羽根６４は弁体２４の軸方向、即ち上記の内部通路３４を軸方向に流通する水の流れに対して捩れ形状、詳しくはここでは螺旋形状をなしている。
【００４７】
円筒部６２は内側に嵌合孔６６を形成しており、この嵌合孔６６において、弁体２４の水側弁部２６（図４では水側弁部２６は省かれている）と湯側弁部２８との間の位置で連繋部３０に設けられた円筒部６８の外周面に所定のクリアランスをもって回転可能に嵌合されている。
【００４８】
尚弁体２４は湯側弁部２８と連繋部３０とが一体構造、水側弁部２６がこれとは別体構造をなしており、それらが互いに組み付けられて弁体２４を構成している。
羽根車６０はその水側弁部２６を組み付ける前において円筒部６０に嵌合状態に組み付けられる。
【００４９】
この湯水混合弁１０では、水流入通路２０から内部に流入した水が弁ケース１２の内部通路３４を軸方向に流れる際、羽根車６０がその水の流れに対する抵抗体として働く。
その際、羽根車６０は水の流れによって勢い良く回転運動し、水の流れを旋回流として湯流入通路２２から流入した湯と合流させ、混合室３６に流入させる。
【００５０】
表１はこの湯水混合弁１０を用い、給水圧を変動させたときの混合水温度の測定結果を比較例とともに示したものである。
ここでの測定試験は、先ず給水圧（Pc）及び給湯圧（Ph）をそれぞれ０．１ＭＰａとしておいて、その状態で回転操作軸１６の回転操作により混合水温度を４０±０．５℃に設定し、その後先ず給水圧を０．４ＭＰａに増大させて混合水温度を測定し、次に給水圧を０．４ＭＰａに保ったまま今度は給湯圧を０．４ＭＰａまで増大させて混合水温度を測定し、続いて給水圧を０．４ＭＰａに保ったまま給湯圧を０．０５ＭＰａまで低下させて混合水温度を測定した。
【００５１】
尚表１中の比較例の測定結果は、弁体が上記のような羽根車６０を備えていない図７に示す形態の湯水混合弁における測定結果である。
また表１では同じものを用いて６回づつ測定試験を行い、それぞれについて測定結果を示している（但し比較例については全部で５回の測定結果を示している）。
【００５２】
【表１】
2006118545.tif 000003
【００５３】
以上の結果にみられるように従来（比較例）の湯水混合弁の場合、混合水温度が４０℃となるように設定をしておいても、給水圧の変動により実際の混合水温度は大きく変動する。
これに対して本実施形態の湯水混合弁１０の場合、給水圧の変動にも拘わらず実際の混合水温度は、設定した混合水温度から殆ど変動していない。
【００５４】
その理由については図６に示すように回転抵抗体としての羽根車６０が内部通路３４を軸方向に流れる水の流れへの抵抗体として働くことにより、水流入通路２０からの水の給水圧が増大したときに、弁体２４が水流入通路２０を自動的に絞る方向に軸方向位置を調整し、更には羽根車６０によって内部通路３４の水の流れを旋回流となして湯流入通路２２から合流する湯との混合を速やか且つ良好に行わしめることによるものと考えられる。
【００５５】
また羽根車６０が水の流れにより回転運動することによって、給水圧ないし水の流れの勢いの急激な変化を良好に吸収し、これにより流入した水の流れに対する抵抗作用が強く働きすぎるのが防止されて、弁体２４の急激な位置変化ひいては混合水温度の急激な変化を抑制するように作用した結果と考えられる。
【００５６】
尚、給湯圧の増大に伴って湯流入通路２２からの湯の流入の勢い及び量が増したときにも、羽根車６０はその抵抗体として働いて湯流入通路２２を絞る方向に弁体２４を移動させ、これにより給湯圧の変動にも拘わらず混合水温度を設定温度に保持する働きをなすと考えられる。
【００５７】
かかる本実施形態の湯水混合弁１０にあっては、給水圧の変動にも拘わらず混合水温度を良好に設定温度に保持することができ、従って湯水混合弁１０を様々な場所に設置した場合において、その設置場所の給水圧の相違に応じて面倒で手間のかかる調整を改めて行うのを不要化でき、全体として湯水混合弁の設置コストを低減することができる。
【００５８】
以上本発明の実施形態を詳述したが、これはあくまで一例示である。
例えば上記実施形態における羽根車は、各羽根の枚数や角度を様々に変化させることが可能であるし、また上記実施形態では抵抗体を回転抵抗体、具体的には羽根車として構成しているが、場合によってかかる抵抗体をフィン状の羽根を有する固定の抵抗体として、或いはそのような羽根を有しない他の様々な抵抗体として構成することも可能である。
【００５９】
また本発明は弁体が軸方向に離隔した水側弁部と湯側弁部とを有していて、内部に流入した水と湯とが混合室に向けて同方向に流れる形式の自動温度調節機能付湯水混合弁に適用した場合に好適なものであるが、本発明は感温体を有しない、単に水と湯とを混合するだけのミキシングタイプの湯水混合弁に適用することも可能であるし、或いはまた上例以外の他の様々な形式の自動温度調節機能付の湯水混合弁或いはそのような自動温度調節機能を有しない湯水混合弁に対して適用することも可能である等、本発明はその趣旨を逸脱しない範囲において種々変更を加えた形態で構成可能である。
【図面の簡単な説明】
【００６０】
【図１】本発明の一実施形態の湯水混合弁を示す断面図である。
【図２】図１の湯水混合弁の要部の分解（一部切欠）斜視図である。
【図３】図１の湯水混合弁の要部の各要素を分解して示す断面図である。
【図４】図２の弁体に設けた羽根車を周辺部の構造とともに示す一部切欠斜視図である。
【図５】図４の羽根車を示す図である。
【図６】同実施形態の湯水混合弁の作用説明図である。
【図７】従来の湯水混合弁の図である。
【符号の説明】
【００６１】
１０  湯水混合弁
２０  水流入通路
２２  湯流入通路
２４  弁体
２６  水側弁部
２８  湯側弁部
３０  連繋部
３４  内部通路
３６  混合室
４０  水側弁座
４２  湯側弁座
４８  感温ばね
６０  羽根車
６４  羽根
【図１】
2006118545.tif 000004
【図２】
2006118545.tif 000005
【図３】
2006118545.tif 000006
【図４】
2006118545.tif 000007
【図５】
2006118545.tif 000008
【図６】
2006118545.tif 000009
【図７】
2006118545.tif 000010